(57)【要約】  クローズドループ出力制御を使用する無線通信システム（５０）において、一次局（１００）は、二次局（２００）から受けた出力制御コマンドを含む制御情報に応じてその送信出力を調整する。一次局（１００）が出力制御コマンドに従わない場合、二次局（２００）が制御情報を変更するとともに、一次局（１００）は、変更された制御情報を使用して、送信の特性を適合させる。
2007500982.tif 000002
【特許請求の範囲】
【請求項１】
一次局と二次局とを備える通信システムで使用するための二次局であって、前記二次局は、
前記一次局によって送信される第１の信号を受信するための受信手段と、
受信された前記第１の信号の第１の特性を測定するための測定手段と、
測定された前記第１の特性から出力制御コマンドを得るための処理手段と、
少なくとも前記出力制御コマンドを含む制御情報を前記一次局に対して送信するための送信手段と、
送信された前記出力制御コマンドに従って前記一次局がその送信出力を調整しないことに伴って、前記一次局に対して送信された制御情報のパラメータを変更するための制御手段と、
を備えている、二次局。
【請求項２】
前記制御手段は、前記一次局がその送信出力を調整する際に使用する前記一次局への送信のための出力ステップサイズの表示を生成することにより、前記一次局に対して送信される制御情報のパラメータを変更するようになっている、請求項１に記載の二次局。
【請求項３】
前記受信手段は、前記一次局によって送信される第２の信号を受けるようになっており、
前記測定手段は、受信された前記第２の信号の第２の特性を測定するようになっており、
前記処理手段は、測定された前記第２の特性からチャンネル品質報告を得るようになっており、
前記送信手段は、所定の速度で前記チャンネル品質報告を前記一次局に対して送信するようになっており、
前記制御手段は、前記所定の速度よりも高い速度で前記チャンネル品質報告を送信することにより、前記一次局に対して送信される前記制御情報のパラメータを変更するようになっている、
請求項１に記載の二次局。
【請求項４】
前記受信手段は、前記一次局によって送信される第２の信号を受けるようになっており、
前記測定手段は、受信された前記第２の信号の第２の特性を測定するようになっており、
前記処理手段は、測定された前記第２の特性からチャンネル品質報告を得るようになっており、それにより、測定された前記第２の特性の関数を所定の時間にわたって平均化することにより、前記各チャンネル品質報告が得られ、
前記送信手段は、前記チャンネル品質報告を前記一次局に対して送信するようになっており、
前記制御手段は、前記所定の時間よりも短い時間にわたって前記平均化を行なうことにより、前記一次局に対して送信される前記制御情報のパラメータを変更するようになっている、
請求項１に記載の二次局。
【請求項５】
前記制御手段は、送信された前記出力制御コマンドに従って前記一次局がその送信出力を調整し損なうことを検知するようになっている、請求項１から４のいずれか一項に記載の二次局。
【請求項６】
前記制御手段は、受信された前記第１の信号の信号対干渉比（ＳＩＲ）を決定し且つＳＩＲの関数が所定の基準を満たす時期を検知することにより、送信された前記出力制御コマンドに従って前記一次局がその送信出力を調整し損なうことを検知するようになっている、請求項５に記載の二次局。
【請求項７】
前記制御手段は、送信された前記出力制御コマンドに従って、前記一次局がその送信出力を調整し損なうという表示を受けるようになっている、請求項１から４のいずれか一項に記載の二次局。
【請求項８】
前記制御手段は、送信された前記出力制御コマンドに従って前記一次局がその送信出力を調整し損う可能性がある１または複数の所定の時間の表示を格納するようになっており、前記制御手段は、前記一次局に対して送信された制御情報のパラメータを変更するために、前記１または複数の所定の時間の発生に応答する、請求項１から４のいずれか一項に記載の二次局。
【請求項９】
請求項１から８のいずれか一項に記載の二次局と、一次局とを備える通信システムにおいて、前記一次局は、
第１の信号を送信するための送信手段と、
出力制御コマンドを受信するための受信手段と、
受信された前記出力制御コマンドに従って前記第１の信号の送信出力を調整するための制御手段であって、前記調整が前記一次局の同時期の能力の範囲内である制御手段と、
を備え、
前記一次局の前記制御手段は、変更された制御情報の受信に応じて、送信の特性を適合させるようになっている、通信システム。
【請求項１０】
前記一次局の前記制御手段は、受信された前記出力制御コマンドに従って前記第１の信号の送信出力を調整しないことに伴なう送信のための表示を生成するようになっている、請求項１０に記載の通信システム。
【請求項１１】
一次局と二次局とを備える通信システムで使用するための一次局において、
第１の信号を送信するための送信手段と、
出力制御コマンドを受信するための受信手段と、
受信された前記出力制御コマンドに従って前記第１の信号の送信出力を調整するための制御手段であって、前記調整が前記一次局の同時期の能力の範囲内である制御手段と、
を備え、
前記制御手段は、受信された前記出力制御コマンドに従って前記第１の信号の送信出力を調整し損うことに応答する送信のための表示を生成するようになっている一次局。
【請求項１２】
一次局と二次局とを備える通信システムを動作するための方法であって、
前記一次局から第１の信号を送信することを備え、
前記二次局において、
前記第１の信号を受信し、
前記第１の信号を受信している間に、受信した前記第１の信号の第１の特性を測定して、測定された前記第１の特性から出力制御コマンドを得るとともに、少なくとも前記出力制御コマンドを備える制御情報を送信し、
前記一次局において、
前記出力制御コマンドを受信し、
受信された前記出力制御コマンドに従って前記第１の信号の送信出力を調整し、前記調整が前記一次局の同時期の能力の範囲内であり、
更に、
前記二次局において、受信された前記出力制御コマンドに従って前記一次局が送信出力を調整し損うことに伴って、前記一次局に対して送信された制御情報のパラメータを変更し、
前記一次局において、変更された前記制御情報の受信に応じて、送信の特性を適合させることを備える、方法。
【請求項１３】
前記一次局に対して送信された制御情報のパラメータを変更することは、前記一次局がその送信出力を調整する際に使用する出力ステップサイズの表示を送信することを備える、請求項１２に記載の方法。
【請求項１４】
前記一次局から第２の信号を送信することを更に備え、
前記二次局において、
前記第２の信号を受信し、
前記第２の信号を受信している間に、受信した前記第２の信号の第２の特性を測定して、測定された前記第２の特性からチャンネル品質報告を得るとともに、所定の速度で前記チャンネル品質報告を送信し、
前記一次局において、
前記チャンネル品質報告を受信し、
前記チャンネル品質報告に応じて前記第１の信号または他の信号の少なくとも１つのパラメータを決定し、
前記一次局に対して送信された制御情報のパラメータを変更することは、前記所定の速度よりも高い速度で前記チャンネル品質報告を送信することを備える、請求項１２に記載の方法。
【請求項１５】
前記一次局から第２の信号を送信することを更に備え、
前記二次局において、
前記第２の信号を受信し、
前記第２の信号を受信している間に、受信した前記第２の信号の第２の特性を測定して、測定された前記第２の特性からチャンネル品質報告を取得し、これにより、測定された前記第２の特性の関数を所定の時間にわたって平均化することにより、前記各チャンネル品質報告が得られ、また、前記チャンネル品質報告を送信し、
前記一次局において、
前記チャンネル品質報告を受信し、
前記チャンネル品質報告に応じて、前記第１の信号または他の信号の少なくとも１つのパラメータを決定し、
前記一次局に対して送信された制御情報のパラメータを変更することは、前記所定の時間よりも短い時間にわたって測定された特性の関数を平均化することを備える、請求項１２に記載の方法。
【請求項１６】
前記二次局において、受信された前記出力制御コマンドに従って、前記一次局が送信出力を調整し損なうことを検知することを備える、請求項１２から１５のいずれか一項に記載の方法。
【請求項１７】
前記一次局が送信出力を調整し損なうことを検知することは、受信された前記第１の信号の信号対干渉比（ＳＩＲ）を決定するとともに、ＳＩＲの関数が所定の基準を満たす時期を検知することを備える、請求項１６に記載の方法。
【請求項１８】
前記一次局において、受信された前記出力制御コマンドに従って、前記一次局が送信出力を調整し損うことを検知し、この調整し損うことを検知することに応じて、調整し損う旨の表示を前記二次局に対して送信することを備える、請求項１２から１５のいずれか一項に記載の方法。
【請求項１９】
受信された前記出力制御コマンドに従って前記一次局が送信出力を調整し損う時間が予め決定される、請求項１２から１５のいずれか一項に記載の方法。
【発明の詳細な説明】
【技術分野】
【０００１】
本発明は、無線通信システム、通信システムで使用するための一次局および二次局、通信システムを動作する方法に関する。
【背景技術】
【０００２】
ＵＭＴＳ（ユニバーサル・モバイル・テレコミュニケーション・システム）等の固定された場所にある基地局と移動局とを備える無線通信システムにおいて、基地局から移動局への送信はダウンリンクチャンネルにより行なわれ、移動局から基地局への送信はアップリンクチャンネルにより行なわれる。そのようなシステムがクローズドループ送信出力制御を使用することは知られている。クローズドループ送信出力制御において、移動局は、受信したダウンリンク信号の質を測定するとともに、送信出力制御（ＴＰＣ）コマンドを基地局に対して送信し、それにより、ダウンリンクチャンネル減衰の変動にもかかわらず、適切であるが過度ではない受信信号レベルが移動局において維持される。ＴＰＣコマンドは、一般に、増大または減少のステップサイズが予め決定されている「出力増大」コマンドおよび「出力減少」コマンドを含んでいる。
【０００３】
また、現在のチャンネル減衰の変動に応じてＴＰＣコマンドのステップサイズを変えることは知られている。例えば、チャンネル減衰が急速に変化している時に大きなステップを使用し、チャンネル減衰がゆっくりと変化している時に小さなステップを使用する。このようにすると、送信出力がチャンネル状態の変化をうまく辿ることができる。
【０００４】
また、無線通信システムが送信形式制御を使用することは知られている。送信形式制御において、移動局は、受信したダウンリンク信号の質を測定するとともに、その質の報告（一般に、チャンネル品質情報報告またはチャンネル品質表示（ＣＱＩ）報告と称される）を基地局に対して送信し、その後、基地局は、特定の移動局へのパケット送信を計画するとともに、現在のチャンネル状態下で通信を最適化するのに適した送信形式、例えば変調・コーディング方式を選択する。そのようなチャンネル品質報告は、例えば搬送波対干渉比、信号対雑音比、遅延拡大、または、現在のチャンネル状態に適した推奨送信形式の表示を与えても良い。一例として、ＵＭＴＳの高速ダウンリンクパケットアクセス（ＨＳＤＰＡ）機能は、適応変調・コーディング（ＡＭＣ）を使用して、送信されたダウンリンク（ＤＬ）データに適した送信パラメータを設定する。ＤＬデータのための変調・コーディング方式は、出力制御されたチャンネルにおいて使用される現在の送信出力に基づいて基地局により選択され、移動局から受信された断続的なチャンネル品質報告によって較正されても良い。アップリンクは、同等の方法で動作されても良い。
【０００５】
一般に、チャンネル品質報告を生成するために使用される品質測定は、その送信出力がＵＭＴＳの共通パイロットチャンネル（ＣＰＩＣＨ）等のクローズドループ出力制御プロセスによって変えられないダウンリンク信号に関して行なわれるが、ＴＰＣコマンドを生成するために使用される品質測定は、クローズドループ動作を行なうために、その送信出力がＴＰＣコマンドの結果として変えられるダウンリンク信号に関して行なわれなければならない。
【０００６】
チャンネル品質報告は、一般に、ＴＰＣコマンドよりも低い速度で送信され、そのため、送信のスケジューリングおよび送信形式の選択を助けるために、ＴＰＣコマンドが基地局により更に使用されても良い。
【０００７】
送信局が出力制御コマンドに従うことができない状況もあり得る。例えば、
−  送信局が既にその最大出力レベルで或いは特定のチャンネルにおけるその最大出力レベルで送信しているときには、「出力増大」コマンドが受けられても良く；
−  送信局が既にその最小非ゼロ出力レベルで或いは特定のチャンネルにおけるその最小非ゼロ出力レベルで送信しているときには、「出力減少」コマンドが受けられても良く；
−  送信局が出力制御コマンドを処理しないように、処理オーバーロードが生じても良い。
【０００８】
送信局が出力制御コマンドに従わない場合、クローズドループ出力制御の簡単な「出力増大」コマンドまたは「出力減少」コマンドは、もはや、チャンネル減衰の実際のレベルを示さない。この状況において、送信局は、現在のチャンネル減衰が現在の送信出力レベルが示唆するよりも良いのか或いは悪いのかしか分からない。これにより、送信器が、送信された信号に適するパラメータ値を選択する際に信頼できる表示として送信出力レベルを使用することが防止される。その結果、送信パラメータは、送信局が再び出力制御コマンドに従い始めることができ且つ出力制御ループが再び収束するまで最適とならない場合がある。この最適とならない動作の時間により、効率が悪くなる。
【発明の開示】
【課題を解決するための手段】
【０００９】
本発明の目的は、効率向上に寄与することである。
【００１０】
本発明の第１の態様においては、一次局と二次局とを備える通信システムで使用するための二次局であって、前記二次局は、前記一次局によって送信される第１の信号を受信するための受信手段と、受信された前記第１の信号の第１の特性を測定するための測定手段と、測定された前記第１の特性から出力制御コマンドを得るための処理手段と、少なくとも前記出力制御コマンドを含む制御情報を前記一次局に対して送信するための送信手段と、前記一次局が送信された前記出力制御コマンドに従ってその送信出力を調整しないことに伴って、前記一次局に対して送信された制御情報のパラメータを変更するための制御手段とを備えている二次局が提供される。
【００１１】
本発明の第２の態様においては、本発明の第１の態様に係る二次局と一次局とを備える通信システムであって、前記一次局は、第１の信号を送信するための送信手段と、出力制御コマンドを受信するための受信手段と、受信された前記出力制御コマンドに従って前記第１の信号の送信出力を調整し、前記調整が前記一次局の同時期の能力の範囲内である制御手段とを備え、前記一次局の前記制御手段は、二次局によって送信された変更された制御情報の受信に応じて、送信の特性を適合させるようになっている通信システムが提供される。
【００１２】
本発明の第３の態様においては、一次局と二次局とを備える通信システムで使用するための一次局において、第１の信号を送信するための送信手段と、出力制御コマンドを受信するための受信手段と、受信された前記出力制御コマンドに従って前記第１の信号の送信出力を調整するための制御手段であって、前記調整が前記一次局の同時期の能力の範囲内である制御手段とを備え、前記制御手段は、受信された前記出力制御コマンドに従って前記第１の信号の送信出力を調整しないことに伴なう送信のための表示を生成するようになっている一次局が提供される。
【００１３】
本発明の第４の態様においては、一次局と二次局とを備える通信システムを動作するための方法であって、
前記一次局から第１の信号を送信することを含み、
前記二次局において、
前記第１の信号を受信し、
前記第１の信号を受信している間に、受信した前記第１の信号の第１の特性を測定して、測定された前記第１の特性から出力制御コマンドを得るとともに、少なくとも前記出力制御コマンドを含む制御情報を送信し、
前記一次局において、
前記出力制御コマンドを受信し、
受信された前記出力制御コマンドに従って前記第１の信号の送信出力を調整し、前記調整が前記一次局の同時期の能力の範囲内であり、
更に、
前記二次局において、前記一次局が受信された前記出力制御コマンドに従って送信出力を調整しないことに伴って、前記一次局に対して送信された制御情報のパラメータを変更し、
前記一次局において、変更された前記制御情報の受信に応じて、送信の特性を適合させることを含む方法が提供される。
【００１４】
本発明は、基本的に、一次局が常に出力制御コマンドに従うことができなくても良いことを実現し、この状況が検知可能または予測可能であっても良いことを実現し、一次局が出力制御コマンドに従っていない間に、一次局が出力制御コマンドに再び従い始めることができる時に回復を支援する動作がとられても良いことを実現し、それにより効率の悪さを減らす。一次局が出力制御コマンドに従わないことに応じて、あるいは、一次局が出力制御コマンドに従うことができなくても良い時間に、二次局は、それが一次局に対して送信する制御情報のパラメータを変更し、また、変更された制御情報の受信に応じて、一次局は、その送信の特性を適合させる。
【発明を実施するための最良の形態】
【００１５】
ここで、添付図面を参照しながら、一例として、本発明の実施形態について説明する。
【００１６】
図１を参照すると、一次局１００と二次局２００とを備える無線通信システム５０が示されている。
【００１７】
一次局１００は、第１の信号、例えばデータ信号を二次局２００に対して送信するための送信手段１１０を備えている。送信手段１１０は、例えばサーキュレータまたは切換スイッチであっても良い結合手段１３０を介してアンテナ手段１２０に結合された出力部を有している。また、結合手段１３０は、アンテナ手段１２０によって受けられた信号を受信手段１４０の入力部に結合する。送信手段１１０および受信手段１４０には制御手段（μＣ）１５０が結合されており、この制御手段１５０は、二次局２００から受けられたＴＰＣコマンドに応じて第１の信号の送信出力を調整する。ただし、その調整は、一次局の同時期の能力の範囲内に限る。一次局の同時期の能力は、適用される任意の最大および最小出力限度で或いは現在の処理負荷で、他の信号を送信するために使用される出力の量によって決まる場合がある。
【００１８】
随意的に、制御手段１５０は、受けられた出力制御コマンドに従った調整をされ損なっている送信出力に応じた送信に関する表示を生成しても良い。
【００１９】
随意的に、制御手段１５０は、二次局への送信のためのパイロット信号等の第２の信号を生成しても良い。この第２の信号の送信出力は、出力制御ループによって制御されない。
【００２０】
随意的に、制御手段１５０は、二次局２００から受けられるチャンネル品質報告に応じて、第１の信号または任意の他の信号における送信形式、例えばビットレート、変調方式、または、コーディング方式を選択しても良い。
【００２１】
二次局２００は送信手段２１０を備えており、この送信手段２１０は、例えばサーキュレータまたは切換スイッチであっても良い結合手段２３０を介してアンテナ手段２２０に結合された出力部を有している。また、結合手段２３０は、アンテナ手段２２０によって受けられた信号を受信手段２４０の入力部に結合する。受信手段２４０の出力部には測定手段（Ｍ）２５０が結合されており、この測定手段２５０は、一次局から受けられた第１の信号の第１の特性、例えば受けられた信号出力、信号対干渉比（ＳＩＲ）あるいは信号対雑音比（ＳＮＲ）、または、これらの比の変化の割合を測定する。測定手段２５０の出力部には、第１の信号の測定された第１の特性から出力制御コマンドを得るための処理手段（μＰ）２６０が結合されている。処理手段２６０の出力部は、少なくとも一次局への出力制御コマンドを含む制御情報を送信するための送信手段２１０の入力部に結合されている。
【００２２】
受信手段２４０の出力部には制御手段（μＣ）２７０が結合されている。一実施形態において、制御手段２７０は、受信信号を監視することにより、出力制御コマンドに従って一次局がその送信出力を調整し損なったことを決定するようになっている。他の実施形態において、制御手段２７０は、一次局１００が出力制御コマンドに従ってその送信出力を調整し損ったという表示を一次局１００から受けるようになっている。他の実施形態において、制御手段２７０は、一次局１００が出力制御コマンドに従ってその送信出力を調整し損った可能性のある１または複数の所定の時間に関する表示を記憶する。
【００２３】
記憶された所定の時間のうちの１つで一次局１００が出力制御コマンドに従ったその送信出力の調整をし損なう又は調整し損なう可能性があるのを受けて、制御手段２７０は、一次局１００に対して送信される制御情報のパラメータを変更するようになっている。制御手段２７０は、この機能を後述する幾つかの他の方法により又は当該方法の組み合わせによって行なっても良い。図１には、制御手段２７０の動作によって決まる選択的な結合が破線で示されている。
【００２４】
１つの実施形態において、制御手段２７０は、一次局１００がその送信出力を調整する際に使用する一次局１００への送信のための出力ステップサイズの表示を生成することにより、一次局１００に対して送信される制御情報のパラメータを変更するようになっている。この目的のため、制御手段２７０が送信手段２１０に結合されても良い。出力ステップサイズの表示は、一次局１００がその送信出力を調整すべき特定の増加量または増加数を表わしても良く、あるいは、二次局２００で現在受信されたＳＩＲと目標のＳＩＲレベルとの間の差異を示しても良い。例えば、出力制御コマンドは、単なる「出力を増大する」から「ｘｄＢだけ出力を増大する」または「ｘ増分だけ出力を増大する」へと変更されても良い。この場合、ｘは、受信された第１の信号の量と目標の量との間の差に応じて変えられる。あるいは、出力制御コマンドは、「出力増大；ｘｄＢの差」へと変更されても良い。この場合、ｘは、二次局２００において現在受けられたＳＩＲと目標のＳＩＲレベルとの間の差異である。一次局１００において、制御手段１５０は、送信の特性を適合させて効率を高めるために、更なる情報「ｘ」を使用しても良い。例えば、制御手段１５０は、送信出力制御コマンドに再び従い始めることができる時に使用するための適切な送信出力レベルを予測するために、更なる情報を使用しても良い。
【００２５】
一次局１００に対して送信される制御情報のパラメータが変更されても良い方法の他の例として、二次局２００は、複数の出力制御コマンドを集めてグループ化することにより、より多くのビットを使用して更に高い分解能で且つより低い速度で送信ステップサイズを示す各コマンドを送信できるようにしても良い。
【００２６】
第２の信号を送信する一次局２００と共に使用されても良い他の実施形態において、測定手段２５０は、ＳＩＲやＳＮＲ等の第２の信号の特性を測定するようになっており、また、処理手段２６０は、所定の速度で送信手段２１０により送信するため、測定された特性からチャンネル品質報告を得るようになっている。この実施形態において、制御手段２７０は、所定の速度よりも高い速度でチャンネル品質報告が送信されるようにすることにより、一次局１００に対して送信される制御情報のパラメータを変更するようになっている。この目的のため、制御手段２７０が処理手段２６０に結合されても良い。一次局１００において、制御手段１５０は、送信の特性を適合させて効率を高めるために、更なるチャンネル品質報告によって与えられる更なる情報を使用しても良い。例えば、制御手段１５０は、送信出力制御コマンドに再び従い始めることができる時に使用するための適切な送信出力レベルを予測するために、あるいは、第１の信号または他の信号のための適切な変調方式またはコーディング方式を選択するために、更なるチャンネル品質報告を使用しても良い。
【００２７】
第２の信号を送信する一次局２００と共に使用されても良い他の実施形態において、測定手段２５０は、ＳＩＲやＳＮＲ等の第２の信号の特性の対数関数または単なる正規化された「１」等の関数を所定の時間にわたって平均化することにより、第２の信号の前記特性を測定するようになっており、また、処理手段２６０は、送信手段２１０による送信のためのチャンネル品質報告を、測定された特性から得るようになっている。チャンネル品質報告は、推奨変調方式およびコーディング方式を含んでいても良い。この実施形態において、制御手段２７０は、所定の時間よりも短い時間にわたって平均化が行なわれるようにすることにより、一次局１００に対して送信される制御情報のパラメータを変更するようになっている。この目的のため、制御手段２７０が測定手段２５０に結合されても良い。平均化時間を減らすことにより、チャンネル変化についての更なる詳細が一次局１００に対して与えられる。一次局１００において、制御手段１５０は、送信の特性を適合させて効率を高めるために、更なる詳細を使用しても良い。例えば、制御手段１５０は、送信出力制御コマンドに再び従い始めることができる時に使用するための適切な送信出力レベルを予測するために、あるいは、第１の信号または他の信号のための適切な変調方式またはコーディング方式を選択するために、更なる詳細を使用しても良い。
【００２８】
図２は、本発明に係る通信システムを動作する方法を示すフローチャートである。この方法はステップ５００から始まる。図２の左側のステップであって、「５」で終わる参照符号が付されたステップは、一次局１００で行なわれるステップに関するものであり、また、図の右側のステップであって、「０」で終わる参照符号が付されたステップは、二次局２００で行なわれるステップに関するものである。随意的なステップが破線のボックスで描かれている。
【００２９】
ステップ５０５において、一次局１００は、第１の信号、例えばデータ信号を二次局２００に対して送信し始める。この第１の信号は、クローズドループ出力制御を受ける。また、一次局１００は、随意的に、パイロット制御信号等の第２の信号の送信を開始しても良い。この第２の信号は、クローズドループ出力制御を受けないが、一定の出力レベルまたは二次局２００に知られた所定の態様で変化する出力レベルで送信される。
【００３０】
ステップ５１０において、二次局２００は、第１の信号を受信し始めるとともに、第２の信号が送信される場合には当該第２の信号を受信し始める。ステップ５２０において、二次局２００は、例えば受けられた信号出力、ＳＩＲまたはＳＮＲ、あるいは、これらの量と目標との間の差異、または、これらの比率の変化の割合などの第１の信号の第１の特性を測定する。ステップ５３０において、二次局２００は、測定された第１の信号の第１の特性から出力制御コマンドを得る。ステップ５４０において、二次局２００は出力制御コマンドを送信する。
【００３１】
随意的なステップ５５０においては、第２の信号が受信された場合、二次局２００が第２の信号の第２の特性を測定する。この第２の特性は、例えば、受けられた信号出力、ＳＩＲまたはＳＮＲであっても良い。
【００３２】
随意的なステップ５６０においては、第２の信号が受信された場合、例えば平均化することにより第２の信号の測定された第２の特性からチャンネル品質報告が得られ、また、ステップ５７０において、二次局２００はチャンネル品質報告を送信する。
【００３３】
その後、フローは、一次局１００が出力制御コマンドを受けるステップ５１５に移行する。
【００３４】
ステップ５２５において、一次局は、それが現在において出力制御コマンドに従うことができるかどうかを決定する。従うことができる場合には、ブロック５３５において、一次局は、コマンドにしたがって第１の信号の送信出力を調整する。従うことができない場合には、フローが随意的なステップ５４５へ移行する。このステップにおいては、チャンネル品質報告が送信された場合、チャンネル品質報告が受信され、また、ブロック５５５において、一次局１００は、チャンネル品質報告に基づいて、第１の信号または他の信号のためのパラメータを決定する。そのようなパラメータは、例えば、データ転送速度、変調方式またはコーディング方式であっても良い。
【００３５】
その後、フローはステップ５８０へ移行する。このステップにおいて、二次局２００は、一次局１００が出力制御コマンドに従ったのか或いは従わなくても良いのかを決定する。この状態は、コマンド毎に決定される必要はないが、例えば一連の出力制御コマンドのうちの１つだけに従わなかったことが無視されるように複数の出力制御コマンドにわたって平均をとることにより決定されても良い。二次局２００がこの状態を決定できる方法の例は以下の通りである。
【００３６】
ａ）受信された第１の信号のＳＩＲまたは他の特性を決定するとともに、決定された特性が所定の基準を満たす時期を検出する。一例として、所定の基準は、所定の時間の間、長い時間のうちの所定の割合の時間の間、ＳＩＲが減少して目標レベルを下回る（あるいは増加して目標レベルを上回る）時期を検知していても良い。他の例として、所定の基準は、所定の時間にわたるＳＩＲの変化の割合、あるいは、長い時間のうちの所定の割合の時間におけるＳＩＲの変化の割合が、第２の信号などの出力制御されない信号のＳＩＲの変化の割合に等しく或いは当該変化の割合の所定の許容範囲内にある時期を検知していても良い。
【００３７】
ｂ）出力制御コマンドに従いそこねたことに関する二次局２００により送信された表示を受ける。
【００３８】
ｃ）二次局２００によって記憶され且つ出力制御コマンドに従わなくても良い所定の時間を参照する。
【００３９】
出力制御コマンドに従っていない或いは従っていない可能性があることを二次局２００が自発的に決定する場合には、二次局がこの状態を一次局１００に対して送信し、それにより、一次局１００は、二次局２００によって送信された変更された制御情報を一次局１００が検知することを支援することができる。
【００４０】
出力制御コマンドに従わない場合あるいは従っていない可能性がある場合、二次局２００は、ステップ５９０において、一次局１００に対して送信される制御情報のパラメータを変更する。この変更の例は以下の通りである。
【００４１】
ａ）前述したように、制御情報の中に出力ステップサイズ等の更なる情報が含まれていても良い。
【００４２】
ｂ）チャンネル品質報告が送信される速度が増大されても良い。
【００４３】
ｃ）第２の信号の測定された第２の特性からチャンネル品質特性が得られる方法が変更されても良い。例えば、チャンネル品質報告は、測定された第２の特性の対数関数または単なる正規化された「１」等の関数を所定の時間にわたって平均化することにより得られても良く、また、出力制御コマンドに従わないことに伴って、平均化時間が減少されても良い。平均化時間を減少することにより、チャンネル品質報告中に更に詳細な情報を含めることができる。これは、平均化により情報があまり切り捨てられないからである。一例として、本発明がＵＭＴＳに適用されると、二次局２００は、通常、８０ｍｓの持続時間を有する４０サブフレームにわたって平均化されたチャンネル品質を報告しても良いが、一次局１００がしばしば最大出力で送信している場合には１サブフレーム（２ｍｓ）にわたって平均化されたチャンネル品質の報告に変えても良い。
【００４４】
一次局が出力制御コマンドに従わないことに応じて一次局１００に対して送信された制御情報のパラメータが変更されるか否かにかかわらず、フローは、ステップ５０５に戻って、信号送信が終了するまでループ内で続く。ステップ５０５の第２の通過またはその後の通過において、一次局１００は、送信された第１の信号の特性または第１の信号と同時に或いは非同時に送信された他の信号の特性を適合させる際に、二次局１００から受けられた変更された制御情報を適用しても良い。二次局２００から受けられた変更された制御情報を一次局１００が適用する方法の例は以下の通りである。
【００４５】
ａ）一次局１００が出力制御コマンドに再び従い始めることができる時期に、第１の信号における送信出力レベルが決定されても良い。
【００４６】
ｂ）一次局１００の送信出力が同時に送信された複数の信号にわたって実施される場合には、これらの信号のうちの１つの送信が終了し、それにより、残りの信号のために多くの出力を利用できるようになると、一次局１００は、残りの信号に対して新たに利用できる出力の実施方法を決定しても良い。
【００４７】
ｃ）第１の信号の送信出力レベルが、信頼できる通信に不適当である場合、一次局１００は、その出力を、更なる出力を用いて信頼できる通信を行なえる他の信号に対して再実施するように決定しても良い。
【００４８】
これらの例のそれぞれにおいては、一次局に対して送信された制御情報のパラメータの変更により、一次局１００は、その送信を更に迅速に適合させることができ、それにより、効率が向上する。
【００４９】
二次局２００が変更された制御情報を送信する時間、あるいは、変更された制御情報の受信に応じて一次局１００が送信される信号の特性を適合させ続ける時間は、予め決定されても良く、あるいは、一次局が出力制御コマンドに従い損ねる時間に依存していても良い。
【００５０】
図３を参照すると、グラフＡは、出力制御されない第２の信号のＳＩＲの経時的な変化を示している。このグラフから、ＳＩＲの大きな変化をとって見ることができる。グラフＢは、出力制御される第１の信号のＳＩＲの経時的な変化を示している。すなわち、出力制御により、変化の度合いは、殆どの時間において、約±１ｄＢまで減少される。グラフＣは、出力制御された第１の信号の相対送信出力を示している。グラフから分かるように、送信出力の上限は−２ｄＢであり、非ゼロ下限は−８ｄＢであり、ＳＩＲの下降中において−２ｄＢを超えるように出力を増大させる出力制御コマンドに従うことはできない。Ａ’で示される領域においては、第２の信号のＳＩＲが下降してしまっており、また、第１の信号の送信出力がＣ’で示されるようにピークに達しており、そのため、出力制御コマンドに従うことができず、したがって、第１の信号のＳＩＲは、制御された範囲±１ｄＢの外側で下降してしまっている。
【００５１】
図４を参照すると、一次局１００が送信出力制御コマンドに従わない時にチャンネル品質報告が送信される速度を増大する利益が示されている。横座標は、第１の信号が最大出力で送信される時間のパーセンテージである。一次局１００は、第１の信号の現在の送信出力から、第１の信号のＳＩＲを見積もる（評価する）。すなわち、出力制御コマンドに従わなかった場合、第１の信号のＳＩＲは、送信された出力の逆数に比例するものと考えられる。その後、一次局１００は、二次局２００から通常の間隔で受けられたチャンネル品質報告を使用して、見積もられたＳＩＲを較正し、第１の信号または他の信号のための変調・コーディング方式を選択する。各変調・コーディング方式は、小さな範囲のＳＩＲ値に適している。見積もられたＳＩＲと実際のＳＩＲとの間の誤差が増大する場合には、選択された変調・コーディング方式が殆ど適さなくなり、その信号の例えばスループットや遅延に関するサービスの質が悪化する。誤差は、例えば特定のＳＩＲの状態で−２ｄＢの相対送信出力が必要になると考えられる（出力の制約が全くなく）ため、生じる。一方、実際のＳＩＲは、時として、更に悪いことに、達成できない高い送信出力の要求を伴う。縦座標は、第１の信号の実際のＳＩＲと選択された変調・コーディング方式が適するＳＩＲとの間のＲＭＳ誤差である。ＲＭＳ誤差は、最良の性能において最小に抑えられなければならない。したがって、理想的には、実際のＳＩＲは、選択された変調・コーディング方式が適するＳＩＲに等しい。図４において、ＲＭＳ誤差は、２つの二次局速度３ｋｍ／ｈ，１０ｋｍ／ｈ毎に、チャンネル品質報告を送信する２つの速度１２．５Ｈｚ，５００Ｈｚにおいてプロットされている。低い報告速度が使用されると、見積もられたＳＩＲは頻繁に較正することができず、その結果、最大出力で費やされる時間の割合が増大するにつれて、選択された変調・コーディング方式が実際のＳＩＲに殆ど適さなくなる。そのため、低い報告速度が使用されると、実際のＳＩＲと選択された変調・コーディング方式が適するＳＩＲとの間のＲＭＳ誤差が増大する。高い報告速度が使用される場合には、見積もられたＳＩＲをチャンネル品質報告によってもっと頻繁に較正することができ、そのため、一次局１００の利用できる最大の送信出力レベルで費やされる時間の割合が高い場合であっても、比較的適した変調・コーディング方式を選択できる。したがって、報告速度を増大することにより、ＲＭＳ誤差が減少される。図示のように、ＲＭＳ誤差の減少は、低い速度において特に明白である。この場合、チャンネル状態の変化の割合に対して十分に速い報告速度を使用して、常に正確に較正された見積りＳＩＲを維持することができる。一般に、報告速度は、一次局１００がその利用できる最大の送信出力で１５％を超える時間を費やす時に増大し得る。
【００５２】
本明細書中における用語「一次局」は、モバイル通信ネットワークにおける固定局を示していても良く、また、用語「二次局」は移動局を示していても良い。同様に、本明細書中における用語「二次局」は、モバイル通信ネットワークにおける固定局を示していても良く、また、用語「一次局」は移動局を示していても良い。
【００５３】
本発明に関連する一次局の要素は、同じ場所に配置されている必要はないが、通信ネットワーク内に分布されていても良い。これに伴って、本発明に関連する二次局の要素は、同じ場所に配置されている必要はないが、通信ネットワーク内に分布されていても良い。
【００５４】
本明細書および請求の範囲において、要素に先行する用語「１つの」は、そのような要素の複数の存在を排除するものではない。また、用語「備える（含む）」は、記載された要素またはステップ以外の要素またはステップの存在を排除するものではない。
【００５５】
請求項における括弧内の参照符号の挿入は、理解を助けることを意図したものであり、限定しようとするものではない。
【００５６】
本発明の開示内容を読むことにより、当業者であれば他の変形も明らかである。そのような変形は、ここで既に説明した特徴に代えて或いは当該特徴に加えて使用されても良い通信技術において既に知られた他の特徴を含んでいても良い。
【図面の簡単な説明】
【００５７】
【図１】一次局および二次局を備える通信システムの概略ブロック図である。
【図２】本発明に係る通信システムを動作させる方法を示すフローチャートである。
【図３】信号対干渉比および送信出力の経時的変化を示すグラフである。
【図４】本発明の利点を示すグラフである。
【符号の説明】
【００５８】
１００  一次局
１１０  送信手段
１２０  アンテナ手段
１３０  結合手段
１４０  受信手段
１５０  制御手段
２００  二次局
２１０  送信手段
２２０  アンテナ手段
２３０  結合手段
２４０  受信手段
２５０  測定手段
２６０  処理手段
２７０  制御手段
【図１】
2007500982.tif 000003
【図２】
2007500982.tif 000004
【図３】
2007500982.tif 000005
【図４】
2007500982.tif 000006
【国際調査報告】
2007500982.tif 000007
2007500982.tif 000008
2007500982.tif 000009
2007500982.tif 000010
2007500982.tif 000011